(57)【要約】【課題】  本発明の目的は、洗濯機の排水ホースの先端部（下流端部）に設けられ、排水口に挿入される継手に、簡単な構成で泡溢れを抑制する手段を設けることにある。【解決手段】  洗濯物を収容し洗濯水を溜めて洗濯を行う槽と、槽内の洗濯水を配する排水ホース９と、排水ホース９の先端に設けられ排水管１０に挿入されて排水ホース９を排水管１０に接続する筒状の継手９Ａとを備えた洗濯機において、継手９Ａは、排水管１０に挿入される挿入部９２の外周面に、排水管１０の内周面に当接する突状部９３ａ，９３ｂ，９４ａ，９４ｂを有する。【選択図】  図３
2016041150.tif 000002
【特許請求の範囲】
【請求項１】
洗濯物を収容し洗濯水を溜めて洗濯を行う槽と、前記槽内の洗濯水を配する排水ホースと、前記排水ホースの先端に設けられ排水管に挿入されて前記排水ホースを前記排水管に接続する筒状の継手とを備えた洗濯機において、
前記継手は、前記排水管に挿入される挿入部の外周面に、前記排水管の内周面に当接する第１の突状部を有することを特徴とする洗濯機。
【請求項２】
請求項１に記載の洗濯機において、
前記第１の突状部は、スリット又は前記第１の突状部を上下方向に貫通する孔を備えたことを特徴とする洗濯機。
【請求項３】
請求項２に記載の洗濯機において、
前記継手は、前記第１の突状部に対して外径寸法の等しい第２の突状部を、上下方向に隣り合って配設されたことを特徴とする洗濯機。
【請求項４】
請求項１乃至３のいずれか１項に記載の洗濯機において、
前記継手は、第１の突状部に対して外径寸法の異なる突状部を備えたことを特徴とする洗濯機。
【請求項５】
洗濯物を収容し洗濯水を溜めて洗濯を行う洗濯機に用いられ、洗濯水を配する排水ホースの先端に設けられ排水管に挿入されて前記排水ホースを前記排水管に接続する筒状の継手において、
前記排水管に挿入される挿入部の外周面に、前記排水管の内周面に当接する突状部を有することを特徴とする継手。
【発明の詳細な説明】
【技術分野】
【０００１】
本発明は、槽内に水を溜めて洗濯を行う洗濯機に関する。
【背景技術】
【０００２】
従来、洗濯機の排水構造として、特開２００２−１８１８８号公報（特許文献１）に記載された洗濯機パン用継手が知られている。特許文献１には、排水トラップに対する洗濯機排水ホースの着脱を容易かつ確実に行うことができ、排水トラップの清掃も簡単に行うことができる洗濯機パン用継手を提供するために、排水トラップの流入口にねじ込み式ソケット継手を接合し、このねじ込み式ソケット継手にゴム輪式ソケット継手を着脱可能にねじ込み接合すると共に、洗濯機排水ホースの先端に装着したエルボ継手を排水トラップ上方の洗濯機設置用パンに設けた通孔を通してゴム輪式ソケット継手に着脱可能に接合する洗濯機パン用継手が開示されている（要約参照）。
【先行技術文献】
【特許文献】
【０００３】
【特許文献１】特開２００２−１８１８８号公報
【発明の開示】
【発明が解決しようとする課題】
【０００４】
特許文献１では、排水管の入口部に排水トラップが設けられ、洗濯機排水ホースの先端に装着したエルボ継手を排水トラップに接続する構造である。排水管に排水トラップが設けられない場合は、エルボ継手の先端部が排水管に直接挿入される。通常、エルボ継手の外径は排水管の内径に対して十分に小さく形成されており、エルボ継手の外周と排水管の内周との間に隙間ができる。このため、洗濯水の排水時に異常発泡が発生すると、エルボ継手の先端部から排出された泡がエルボ継手外周と排水管内周との間の隙間を通って上昇し、排水管の開口部から溢れ出す泡溢れが生じる場合がある。従来、このような泡溢れに対して、簡単な構成で防止することができる有効な手段を備えた排水ホースが無かった。
【０００５】
本発明の目的は、洗濯機の排水ホースの先端部（下流端部）に設けられ、排水口に挿入される継手に、簡単な構成で泡溢れを抑制する手段を設けることにある。
【課題を解決するための手段】
【０００６】
上記目的を達成するために、本発明の洗濯機は、洗濯物を収容し洗濯水を溜めて洗濯を行う槽と、前記槽内の洗濯水を配する排水ホースと、前記排水ホースの先端に設けられ排水管に挿入されて前記排水ホースを前記排水管に接続する筒状の継手とを備えた洗濯機において、前記継手は、前記排水管に挿入される挿入部の外周面に、前記排水管の内周面に当接する第１の突状部を有する。
また、上記目的を達成するために、本発明の継手は、洗濯物を収容し洗濯水を溜めて洗濯を行う洗濯機に用いられ、洗濯水を配する排水ホースの先端に設けられ排水管に挿入されて前記排水ホースを前記排水管に接続する筒状の継手において、前記排水管に挿入される挿入部の外周面に、前記排水管の内周面に当接する突状部を有する。
【発明の効果】
【０００７】
本発明によれば、排水管に挿入される継手に突状部を設けたことにより、簡単な構成で泡溢れを抑制することができる。
【０００８】
上記した以外の課題、構成及び効果は、以下の実施形態の説明により明らかにされる。
【図面の簡単な説明】
【０００９】
【図１】本発明に係る実施例について、除湿乾燥運転における洗濯機（洗濯乾燥機）の断面を示す断面図である。
【図２】排水ホースの先端部の構成を示す側面図である。
【図３】図２に示す排水ホースの先端部を、紙面に平行な平面で切断した断面図である。
【図４】排水ホースの先端部の斜視図である。
【図５】図４とは異なる角度から見た排水ホースの先端部の斜視図である。
【図６】排水ホースの先端部に接続される継手の側面図である。
【図７】図６のＡ−Ａ断面、Ｂ−Ｂ断面、Ｃ−Ｃ断面及びＤ−Ｄ断面を示す断面図である。
【発明を実施するための形態】
【００１０】
以下、本発明に係る洗濯乾燥機１００の一実施例を図面により説明する。
【００１１】
図１を参照して、洗濯乾燥機の概要を説明する。本発明は、乾燥機能を持たない洗濯機にも適用できる。洗濯を行う槽と脱水を行う槽とを別々に設けた洗濯機（二槽洗濯機）にも適用可能である。以下の説明では回転軸が水平或いは鉛直線に対して傾斜して設けられたドラム式洗濯機について説明するが、回転軸が鉛直方向に設けられた縦型洗濯機にも適用可能である。尚、本明細書では、特に必要がある場合を除いて、洗濯機と洗濯乾燥機とを区別せず、単に洗濯機として説明する。
【００１２】
洗濯機の外郭は、ベース１の上部に、鋼板と樹脂成形品とが組合わされて構成された外枠２が載せられて形成される。外枠２の正面には洗濯物３０を出し入れするドア３と前面カバー２２とが設けられ、背面には背面カバー２３が設けられている。
【００１３】
外枠２の内側には外槽２０を備える。外槽２０は下部に設けられた複数個のサスペンション２１により支持されている。外槽２０の内側には回転ドラム２９が設けられており、回転ドラム２９にはドア３を開けて洗濯物３０が投入される。回転ドラム２９の開口部の外周には脱水時の洗濯物３０のアンバランスによる振動を低減するための流体バランサー３１が設けられている。
【００１４】
また、回転ドラム２９の内側には洗濯物３０を掻き揚げる複数個のリフター３３が設けられている。回転ドラム２９は回転ドラム用金属製フランジ３４に連結された主軸３５を介してドラム駆動用モータ３６に直結されている。外槽２０の開口部には弾性体からなるゴム系のパッキン３８が取付けられている。
【００１５】
このパッキン３８は外槽２０内とドア３との水密性を維持する役割をしている。これにより、洗い，すすぎ及び脱水時の水漏れの防止が図られている。回転ドラム２９は、側壁に遠心脱水および通風用の多数の小孔（図示せず）を有する。外槽２０の底壁に開口した排水口３７は、排水弁８を介して排水ホース９に接続する。排水ホース９の先端部（下流端部）には、継手９Ａが接続される。継手９ＡはＬ字形に折れ曲がった形状（エルボ継手）をしており、先端部が排水管１０の入口部（上流側端部）に挿入される。
【００１６】
回転ドラム２９内の洗濯物３０を乾燥させる除湿ダクト５と送風手段たるファン６１と加熱手段たるヒータ６２を含む乾燥装置６は、外槽２０から離して外枠２に固定（図示せず）されている。除湿ダクト５と通風口３２は柔軟構造のベローズ４で略水平に接続し、ヒータ６２の出口と吹出しノズル１１とは、外槽２０の最上面から中心までの間の位置で、且つ外槽２０の奥行き方向における中心より前面側の位置で、柔軟構造のベローズ７により接続され、外槽２０の振動を吸収している。排水口３７、ファン６１の吸気口及び吐出口には温度センサ（図示せず）が設けてある。
【００１７】
洗濯機の前側下方には、外枠２の内側に、洗濯工程及び乾燥工程を制御する制御装置１３８が設けられている。
【００１８】
このように構成したドラム式の洗濯機は、洗濯運転工程においては、回転ドラム２９内に洗濯物を投入し、排水弁８を閉じた状態で給水して外槽２０に洗濯水を溜め、回転ドラム２９を回転させて洗濯物３０を洗濯する。また、脱水運転工程においては、排水弁８を開いて外槽２０内の洗濯水を排水し、回転ドラム２９を回転させて遠心脱水する。
【００１９】
そして、乾燥運転工程前半から中盤では、排水弁８を開いた状態で回転ドラム２９を回転させると共に、図１に示すように、ファン６１を運転して外槽２０内の空気を通風口３２から吸い出して水冷除湿ダクト５内を通過させて水冷除湿した後にヒータ６２で加熱して吹出しノズル１１から回転ドラム２９内の洗濯物３０に向けて吹き込む循環空気１２を生成する。
【００２０】
回転ドラム２９内で洗濯物３０から水分を奪って湿潤した循環空気１２の除湿は、冷却水弁（図示せず）を開き冷却水供給管５１から水冷除湿ダクト５内の壁面に流れ出た冷却水５２を流下させ、循環空気１２と触れさせることにより実現する。水冷除湿ダクト５内の壁面に流れ出た冷却水５２は排水口３７を通って排水ホース９により排出される。
【００２１】
乾燥運転工程後半では、ヒータ６２をＯＦＦにして冷却水５２を止める。そして、吸気弁１３を開くことによりベース１下部の隙間から吸込まれた外部空気１６は、外槽２０の側面を流れながら外槽２０、モータ３６、ファン６１の排熱を受けながら温められ、乾燥中盤までに外槽２０の上面と外枠２の空間に溜められた高温の筐体内部空気１５とともにファン６１へ吸込まれる。吸込まれた筐体内部空気１４は洗濯物３０に吹付けられ洗濯物３０から水分を奪い、湿潤して排水口３７より排水ホース９を通り、排水管１０に排出され、下水流路へと流下する。
【００２２】
排水管１０の入口部（上流側端部）に、下流側が上流側に対して上方に位置するように流路を折り曲げ、上方に折り曲げた下流側のさらに下流側が上流側に対して下方に位置するように流路を折り曲げた流路構造を設け、この流路構造により排水トラップを構成してもよい。乾燥運転工程後半において、排水ホース９を通じて排水管１０に排気する場合は、排水トラップの水封じを破る必要がある。このような排水トラップでは、一般的に、水封じ高さは５０〜８０ｍｍ程度あるため、水封じを破るには排水ホース９側の圧力は約１０００Ｐａ以上必要となる。この圧力を確保するために、吸気弁１３を全開にしてファン６１に戻ってくる循環空気１４の流路を遮断し、ファン６１の回転数を上げることで、この圧力を確保する。
【００２３】
また、排水トラップを設けている場合は、排水口４０から逆流するように流入して来る臭気を抑えるため、水封じを破った後も高い圧力（所定以上の圧力）を確保することが好ましく、排水ホース９による排気式乾燥中は、高い圧力を保つようにファン６１を制御するとよい。また、乾燥運転終了後は、排水口４０側の圧力より排水ホース９側の圧力を高く保ちながら水封じを破らない圧力レベルまでファン６１の回転数を下げて冷却水５２を流し、排水トラップの上記流路構造（水溜トラップ）に水を溜め、水封じを回復させて乾燥運転工程を終了するとよい。このように、乾燥運転終了後に、排水ホース９側の圧力を所定以上に保ちながら排水ホースを経由して排水トラップ装置１０に水を供給することにより、排水口４０からの臭気を抑えながら排水トラップ１０の水封じを回復させることができる。なお、この排水トラップ装置の水封じ回復は、排水ホース９側の圧力を高く保っていれば、乾燥運転の最後又は乾燥運転の終了後のいずれでも良い。
【００２４】
乾燥運転工程前半から中盤の除湿乾燥運転では排水ホース９から排気されないが、乾燥運転工程後半の排気乾燥運転では排水ホース９から排気される。乾燥運転工程は、排気乾燥運転を始めから終わりまで続けたり、最初に水冷除湿運転をして途中から排気乾燥運転に移行したり、最初に排気乾燥運転をして途中から水冷除湿運転に移行するなど、種々の運転方法がある。
【００２５】
次に、排水ホース９の先端部の構成について、図２〜図７を用いて説明する。図２は、排水ホース９の先端部の構成を示す側面図である。図３は、図２に示す排水ホース９の先端部を、紙面に平行な平面で切断した断面図である。図４は、排水ホース９の先端部の斜視図である。図５は、図４とは異なる角度から見た排水ホース９の先端部の斜視図である。図６は、排水ホース９の先端部に接続される継手の側面図である。図７は、図６のＡ−Ａ断面、Ｂ−Ｂ断面、Ｃ−Ｃ断面及びＤ−Ｄ断面を示す断面図である。
【００２６】
図２に示すように、排水ホース９の先端部にはＬ字形をした筒状の継手（エルボ継手）９Ａが接続され、継手９Ａによって排水ホース９は排水管１０に接続される。継手９Ａは略９０度に折れ曲がる形状をしており、排水管１０に挿入される挿入部９２と排水管１０の外部に露出する露出部９１とを有する。露出部９１は、通常、洗濯機１００が設置される床面或いは防水パン上に露出する。挿入部９２と露出部９１との境には、継手９Ａの外周に鍔状に形成されたカバー部９６が設けられている。カバー部９６は排水管１０の入口開口を覆うと共に、挿入部９２の排水管１０内への挿入量を決める。
【００２７】
露出部９１における挿入部９２への接続側とは反対側の端部に中継部材９７が接続されており、中継部材９７に排水ホース９が接続される。排水ホース９は締付け部材９８によって中継部材９７に固定される。挿入部９２の先端部９５はその軸方向に対して斜めにカットされ、このカット面に出口開口が形成されている。
【００２８】
カバー部９６の下方には、挿入部９２の外周面に鍔状に形成された４つの突状部（鍔部）９３ａ，９３ｂ，９４ａ，９４ｂが形成されている。図７に示すように、４つの突状部９３ａ，９３ｂ，９４ａ，９４ｂはそれぞれ円環状に形成されている。突状部９３ａ，９３ｂの挿入部９２外周面からの突き出し寸法（すなわち外径）は等しい。突状部９４ａ，９４ｂの挿入部９２外周面からの突き出し寸法（すなわち外径）は等しい。２つの突状部９４ａ，９４ｂの挿入部９２外周面からの突き出し寸法は、他の２つの突状部９３ａ，９３ｂの突き出し寸法よりも大きい。
【００２９】
図６及び図７に示すように、突状部９４ａ，９４ｂは突状部９３ａ，９３ｂよりも突き出し寸法が大きい。そして、突き出し寸法の大きい２つの突状部９４ａ，９４ｂが突き出し寸法の小さい突状部９３ａ，９３ｂよりも上方、すなわち露出部９１又はカバー部９６に近い位置に配設されている。言い換えれば、突状部９３ａ，９３ｂは突状部９４ａ，９４ｂに対して下方、すなわち挿入部９２の先端側に配設されている。
【００３０】
突状部９３ａ，９３ｂ，９４ａ，９４ｂは、挿入部９２が排水管１０に挿入されると、排水管１０の内径に応じて変形しながら排水管１０の内周壁面（内周面）に当接する。本実施例では、突状部９４ａ，９４ｂの外径寸法は排水管１０の内径寸法よりも大きく、突状部９３ａ，９３ｂの外径寸法は排水管１０の内径寸法に等しいか、排水管１０の内径寸法よりも小さい。図２及び図３では、排水管１０の内径寸法と突状部９３ａ，９３ｂ，９４ａ，９４ｂの外径寸法との関係を明確に示すために、突状部９４ａ，９４ｂの先端部が排水管１０の部材内にめり込むように描いている。実際には、突状部９４ａ，９４ｂの先端部は排水管１０の内周壁面に沿うように上方に向けて変形する。このために、突状部９３ａ，９３ｂ，９４ａ，９４ｂは、可撓性を有し、柔軟な構造である。
【００３１】
突状部９３ａ，９３ｂ，９４ａ，９４ｂは、リップシールとして機能する。排水管１０の内径寸法は決まっておらず、色々な寸法が存在する。突状部９４ａ，９４ｂの外径に対して小さすぎる内径寸法の排水管１０に対しては、突状部９４ａ，９４ｂが大きく変形する。この場合、突状部９４ａ，９４ｂに撓みが生じることにより、排水管１０の内周壁面との間に大きな隙間が生じる場合がある。このような場合、突状部９４ａ，９４ｂはリップシールとして機能しなくなる。また、突状部９３ａ，９３ｂの外径に対して、大きい内径寸法の排水管１０に対しては、突状部９３ａ，９３ｂの先端と排水管１０の内周壁面との間に隙間ができ、突状部９３ａ，９３ｂはリップシールとして機能しなくなる。色々な寸法の排水管１０に対して幅広く対応できるように、本実施例では突状部９３ａ，９３ｂ，９４ａ，９４ｂの外径寸法として、二つの寸法（９３ａ及び９３ｂの外径寸法と９４ａ及び９４ｂの外径寸法）を設定している。突状部９３ａ，９３ｂ，９４ａ，９４ｂは、リップシールとして機能する部材であるため、リップと呼ぶ場合もある。
【００３２】
挿入部９２の外径は、排水管１０に挿入できるように、排水管１０の内径よりも小さく作られている。従って、挿入部９２の外周面と排水管１０の内周壁面との間に環状の隙間Ｓ（図２参照）が形成される。
【００３３】
洗濯機１００の外槽２０内の洗濯水が排水される際に、排水管１０内で異常発泡する場合がある。異常発泡によって発生した泡は挿入部９２の外周面と排水管１０の内周壁面との間隙間Ｓを上昇する。突状部９３ａ，９３ｂと突状部９４ａ，９４ｂとのうち少なくともいずれか一方が、排水管１０の内周壁面に適切に当接し、リップシールとして機能する。このため、泡が隙間Ｓを上昇するに従って隙間Ｓの圧力が高まり、泡の上昇が抑制される。
【００３４】
本実施例において、突状部９３ａ，９３ｂの外径寸法が排水管１０の内径寸法よりも小さい場合、或いは突状部９３ａ，９３ｂの外径寸法が排水管１０の内径寸法に等しい場合でリップシールとして十分に機能できない場合は、突状部９４ａ，９４ｂがリップシールとして機能する。突状部９４ａ，９４ｂの外径寸法が排水管１０の内径寸法よりも大き過ぎる場合、突状部９４ａ，９４ｂは上述したようにリップシールとして機能できなくなるが、突状部９３ａ，９３ｂがリップシールとして機能する。排水管１０の内径寸法によっては、突状部９３ａ，９３ｂと突状部９４ａ，９４ｂの両方がリップシールとして機能する場合もある。
【００３５】
泡の上昇を抑制するためには、突状部は一つあれば良い。従って、突状部を一つだけ設けてもよい。或いは、突状部９３ａと突状部９４ａとを一つずつ設けてもよい。上述したように、突状部を複数設けることにより、内径寸法が異なる排水管１０に対して幅広く対応することができる。また、本実施例では、外径寸法の小さい突状部を二つ（９３ａ，９３ｂ）と、外径寸法の大きい突状部を二つ（９４ａ，９４ｂ）設けている。このように、同じ外径寸法の突状部を二つずつ設けている理由については、後述する。
【００３６】
泡の上昇によって隙間Ｓの圧力を高め、この圧力の高まりによって泡の上昇を抑制するためには、挿入部９２はその軸方向（挿入方向或いは流路方向）に泡の上昇を可能にするある程度の長さが必要である。そこで、最下端にある突状部９３ａの下端面と挿入部９２の斜めにカットされた先端部９５の最も高い位置との間の長さＬ２（すなわち環状面が形成される長さ）を、少なくとも挿入部９２の内側に形成される排水流路の内径寸法Ｄ１以上にすることが好ましい。より好ましくは、長さＬ２を内径寸法Ｄ１の２倍以上にする方が良い。さらに好ましくは、長さＬ２を内径寸法Ｄ１の３倍以上にする方が良い。本実施例では、長さＬ２を内径寸法Ｄ１の４倍に設定している。なお、挿入部９２の内側に形成される排水流路の断面が楕円形状の場合は、楕円の長軸の長さを内径寸法Ｄ１として上記のように設定すると良い。排水流路の断面は多角形であってもよい。
【００３７】
また、本実施例では、カバー部９６の下面から最も下側に位置する突状部９３ｂの下端面との間に長さＬ１に対して、Ｌ２は４倍以上の長さである。
【００３８】
次に、突状部９３ａ，９３ｂ，９４ａ，９４ｂに設けたスリット９３ａ−１，９３ｂ−１，９４ａ−１，９４ｂ−１について、図７を参照して説明する。
【００３９】
排水管１０の下流には集合マスなどが設けられ、排水管１０が封水される場合がある。このような排水設備においては、洗濯機１００の洗濯水の排水時に、排水管１０内が負圧になる場合がある。このような排水設備の排水管１０に例えば洗面台や風呂の排水経路が接続されていると、洗面台や風呂の排水経路に設けられた排水トラップが、洗濯水の排水時に排水管１０内が負圧になることにより、破封される可能性がある。
【００４０】
本実施例では、洗濯水の排水時に排水管１０内が負圧になることを抑制するため、突状部９３ａにスリット９３ａ−１を、突状部９３ｂにスリット９３ｂ−１を、突状部９４ａにスリット９４ａ−１を、突状部９４ｂにスリット９４ｂ−１を設けている。スリット９３ａ−１，９３ｂ−１，９４ａ−１，９４ｂ−１は、突状部９３ａ，９３ｂ，９４ａ，９４ｂの上下に形成される空間を連通する連通路を形成し、排水管１０内が負圧になるのを排水トラップが破封されない程度に抑制する。
【００４１】
スリット９３ａ−１，９３ｂ−１，９４ａ−１，９４ｂ−１は、突状部９３ａ，９３ｂ，９４ａ，９４ｂの外周から挿入部９２の外周面まで、挿入部９２の外周面に近づくほど幅が狭くなるように、Ｖ字形状をしている。上述したように、挿入部９２が排水管１０に挿入される際に、突状部９３ａ，９３ｂ，９４ａ，９４ｂは変形する。スリット９３ａ−１，９３ｂ−１，９４ａ−１，９４ｂ−１が突状部９３ａ，９３ｂ，９４ａ，９４ｂの外周から中心側に同じ幅で形成されていると、この変形の際にスリット９３ａ−１，９３ｂ−１，９４ａ−１，９４ｂ−１の両側の突状部９３ａ，９３ｂ，９４ａ，９４ｂが重なり合って、スリット９３ａ−１，９３ｂ−１，９４ａ−１，９４ｂ−１によって形成される連通路を塞いでしまう場合がある。本実施例のように、スリット９３ａ−１，９３ｂ−１，９４ａ−１，９４ｂ−１をＶ字形状にすることにより、挿入部９２が排水管１０に挿入される際に突状部９３ａ，９３ｂ，９４ａ，９４ｂが変形しても、スリット９３ａ−１，９３ｂ−１，９４ａ−１，９４ｂ−１によって形成される連通路が塞がれ難くなる。従って、挿入部９２が排水管１０に挿入される際に、確実に連通路を確保し、排水管１０が負圧になるのを確実に抑制することができる。
【００４２】
次に、同じ外径寸法の突状部を二つ（９３ａ及び９３ｂ又は９４ａ及び９４ｂ）設けている理由について、説明する。
【００４３】
スリット９３ａ−１，９３ｂ−１，９４ａ−１，９４ｂ−１は排水管１０が負圧になるのを抑制する一方で、突状部９３ａ，９３ｂ，９４ａ，９４ｂのリップシールとしての機能を阻害することになる。従って、スリット９３ａ−１，９３ｂ−１，９４ａ−１，９４ｂ−１によって形成される連通路が空気の流通に対して適度な抵抗を有していること必要である。
【００４４】
このために、本実施例では、同じ外径寸法の突状部を二つ（９３ａ及び９３ｂ又は９４ａ及び９４ｂ）設けている。突状部９３ａ及び９３ｂと突状部９４ａ及び９４ｂとは外径が異なるだけで、同じ構造及び機能を有している。突状部９３ａと突状部９４ａとは外径が異なるだけで、同じ構造及び機能を有し、突状部９３ｂと突状部９４ｂとは外径が異なるだけで、同じ構造及び機能を有している。すなわち、従って、突状部９３ａ及び９３ｂについて説明する。
【００４５】
スリット９３ａ−１とスリット９３ｂ−１とは、図４、図５及び図７に示すように、挿入部９２の外周面の周方向に、１８０度ずれた位置に形成されている。また、下方に位置する突状部９３ａと上方に位置する突状部９３ｂとの間には、図２及び図３に示すように、空間Ｓａが形成される。これにより、突状部９３ａから下方の空間Ｓと突状部９３ｂから上方の空間Ｓｂとは、スリット９３ａ−１と、挿入部９２の外周面の周方向に半周分の空間Ｓａと、スリット９３ｂ−１とを通じて連通される。このため、スリット９３ａ−１と空間Ｓａとスリット９３ｂ−１とによって形成される、空間Ｓａと空間Ｓｂとの連通路は、空気の流れに対して程度な抵抗を有し、泡の上昇時に空間Ｓから圧力が抜けるのを抑制する。これにより、発泡時の空間Ｓ内の圧力上昇が可能になり、泡の上昇を防止又は抑制することができる。
【００４６】
同じ外径寸法の突状部を二つ（９３ａ及び９３ｂ又は９４ａ及び９４ｂ）設けることなく、スリット９３ａ−１，９３ｂ−１，９４ａ−１，９４ｂ−１によって形成される連通路が空気の流通に対して適度な抵抗を有するようにすることは可能である。従って、一つの突状部を設け、その突状部にスリットを設けた構成でもよい。或いは、大径の突状部９４ａと小径の突状部９３ａとを設け、これらの突状部９３ａ，９４ａにそれぞれスリット９３ａ−１，９４ａ−１を設けた構成であってもよい。上述したように、同じ外径寸法の突状部を二つ（９３ａ及び９３ｂ又は９４ａ及び９４ｂ）設け、それらの突状部（９３ａ及び９３ｂ又は９４ａ及び９４ｂ）にスリット（９３ａ−１及び９３ｂ−１又は９４ａ−１及び９４ｂ−１）を設けた構成では、スリット９３ａ−１，９３ｂ−１，９４ａ−１，９４ｂ−１によって形成される連通路において空気の流通に対する適度な抵抗を得ることが容易になる。
【００４７】
突状部９３ａ，９３ｂ，９４ａ，９４ｂは上述したように可撓性を有する。このために小径の排水管用に設けられた突状部９３ａ，９３ｂは、突状部９３ａ，９３ｂの厚さ（平均厚さ）に対して突き出し寸法が少なくとも２倍以上の大きさを持つようにすることが好ましい。また、大径の排水管用に設けられた突状部９３ａ，９３ｂは、突状部９３ａ，９３ｂの厚さ（平均厚さ）に対して突き出し寸法が少なくとも３倍以上の大きさを持つようにすることが好ましい。突状部９３ａ，９３ｂにおける厚さ（平均厚さ）に対する突き出し寸法の比を、突状部９４ａ，９４ｂにおける厚さ（平均厚さ）に対する突き出し寸法の比よりも大きくすることにより、大径の排水管用に設けられた突状部９４ａ，９４ｂの変形が容易になる。このため、挿入部９２を小径の排水管１０に挿入する場合でも、突状部９４ａ，９４ｂが邪魔になることなく、挿入部９２の挿入が容易になる。
【００４８】
突状部９４ａと上方に位置する突状部９４ｂとの間には、突状部９３ａと突状部９３ｂとの間に形成される空間Ｓａと同様な空間Ｓｃが形成される。
【００４９】
また、同じ外径寸法の突状部を二つ（９３ａ及び９３ｂ又は９４ａ及び９４ｂ）設けていることにより、二つの突状部のうちいずれか一方が機能しなくなっても、もう一方の突状部でリップシールの機能が得られ、発泡時の泡溢れを防ぐことができる。
【００５０】
各突状部９３ａ，９３ｂ，９４ａ，９４ｂは、端面が挿入部９２の外周面に当接するように完全に倒れた場合でも、隣接する突状部９３ａ，９３ｂ，９４ａ，９４ｂと接触しないような間隔を置いて、形成されている。従って、突状部９３ａと９３ｂとの間隔よりも、突状部９４ａと９４ｂとの間隔の方が広い。
【００５１】
スリット９３ａ−１，９３ｂ−１，９４ａ−１，９４ｂ−１の形状はＶ字形状に限定される訳ではない。またスリット９３ａ−１，９３ｂ−１，９４ａ−１，９４ｂ−１は、スリットに替えて貫通孔としてもよい。
【００５２】
なお、本発明は上記した実施例に限定されるものではなく、様々な変形例が含まれる。例えば、上記した実施例は本発明を分かりやすく説明するために詳細に説明したものであり、必ずしも全ての構成を備えるものに限定されるものではない。また、実施例の構成の一部について、他の構成の追加・削除・置換をすることが可能である。
【符号の説明】
【００５３】
９…排水ホース、９Ａ…継手（エルボ継手）、１０…排水管、９２…継手の挿入部、９１…継手の露出部、９３ａ，９３ｂ，９４ａ，９４ｂ…突状部（鍔部）、９３ａ−１，９３ｂ−１，９４ａ−１，９４ｂ−１…スリット、９５…挿入部９２の先端部、９６…継手のカバー部、９７…中継部材、９８…締付け部材、Ｓ…挿入部９２の外周面と排水管１０の内周壁面との間の隙間。
【図１】
2016041150.tif 000003
【図２】
2016041150.tif 000004
【図３】
2016041150.tif 000005
【図４】
2016041150.tif 000006
【図５】
2016041150.tif 000007
【図６】
2016041150.tif 000008
【図７】
2016041150.tif 000009